(57)【要約】      （修正有）【課題】容易にカスタマイズすることのできるボールスケート用のベアリングを提供する。【解決手段】ベアリング６は、内面が凹曲面状に形成された内ケース部材２１と、内ケース部材２１の内面に沿って配置された複数の受けボール２２と、複数の受けボール２２に支持されるメインボール２３と、メインボール２３の一部を露出させた状態でメインボール２３を収容し、内ケース部材２１に取り付けられる蓋部材２４と、内ケース部材２１又は蓋部材２４の外面に形成される突起部２５と、を有するボール収容部２０と、内面にボール収容部２０の突起部２５に嵌合する蟻溝３１が形成されて、ボール収容部２０を取り替え可能に収容する外ケース部材３０と、を備えている。【選択図】図６
2020150962.tif 000002
【特許請求の範囲】
【請求項１】
内面が凹曲面状に形成された内ケース部材と、前記内ケース部材の内面に沿って配置された複数の受けボールと、複数の前記受けボールに支持されるメインボールと、前記メインボールの一部を露出させた状態で前記メインボールを収容し、前記内ケース部材に取り付けられる蓋部材と、前記内ケース部材又は前記蓋部材の外面に形成される突起部と、を有するボール収容部と；
内面に前記ボール収容部の前記突起部に嵌合する蟻溝が形成されて、前記ボール収容部を取り替え可能に収容する外ケース部材と；を備える、ベアリング。
【請求項２】
前記ボール収容部の前記内ケース部材の頂面と前記外ケース部材の内面との間に配置される弾性部材をさらに備える、請求項１に記載された、ベアリング。
【請求項３】
前記蟻溝は、前記外ケース部材内で前記弾性部材に付勢されて前記ボール収容部が摺動する方向に沿って形成された摺動溝部を備える、請求項２に記載された、ベアリング。
【請求項４】
前記外ケース部材の頂面に配置される取付軸であって、マグネット式にされてベースプレートの第１の孔に嵌合して磁力で保持されるようになっている、取付軸をさらに備える、請求項１乃至請求項３のいずれか一項に記載された、ベアリング。
【請求項５】
前記ボール収容部の前記内ケース部材の頂面から内面まで貫通する複数の貫通孔が形成されている、請求項１乃至請求項４のいずれか一項に記載された、ベアリング。
【請求項６】
前記ボール収容部の頂面又は前記外ケース部材の内面に配置される圧電素子と、前記圧電素子と接続されて発光する光源と、をさらに備える、請求項１乃至請求項５のいずれか一項に記載された、ベアリング。
【請求項７】
前記弾性部材は、少なくとも２つの異なる弾性部材の組み合わせによって構成される、請求項２に記載された、ベアリング。
【請求項８】
複数の第１の孔と複数の第２の孔とを有するベースプレートと、
請求項１乃至請求項７のいずれか一項に記載された、１つ又は複数のベアリングであって、前記複数の第１の孔から選択された前記第１の孔に設置される、１つ又は複数のベアリング部材と、
１つ又は複数のブレーキ部材であって、前記複数の第２の孔から選択された前記第２の孔に設置される、１つ又は複数のブレーキ部材と、
足を収容するアッパー部又は靴を係合する係合手段と、を備えることを特徴とする、ボールスケート。
【発明の詳細な説明】
【技術分野】
【０００１】
本発明は、例えばボールスケート等に用いることができるべアリングに関する。
【背景技術】
【０００２】
従来から、ローラースケートは、車輪状のローラーを備えており、ローラーの回転方向に進むように構成されたものが多い。この従来型のローラースケートは、ローラーの回転方向に進むだけであるため、体を捻ることで方向転換をする必要があった。したがって、初心者にとって方向転換することは難しい、という課題があった。
【０００３】
そこで、特許文献１には、靴底に球体を回転体とするローラーであるボールトランスを複数個取り付け、靴底のつま先付近に抵抗体を設け、踵の部分の両側寄りにも抵抗体を設けたローラースケートが提案されている。このような構成であるため、初心者であっても容易に方向転換することができる。
【０００４】
しかしながら、前述した特許文献１のローラースケートは、ローラーや抵抗体の配置が固定されているため、個人ごと又は競技ごとにカスタマイズすることができるものではなかった。そのため、発明者は、個人ごと又は競技ごとにカスタマイズすることができるボールスケートを開発した（特許文献２参照）。
【先行技術文献】
【特許文献】
【０００５】
【特許文献１】特開平１０−１５１４５号公報
【特許文献２】特許第５９９５３０１号公報
【発明の概要】
【発明が解決しようとする課題】
【０００６】
ところで、発明者が開発した特許文献２のベアリング（ボールローラ部材）は、カスタマイズする（ボールの大きさを変える）際に、取付部（雄ネジ）を回してベアリング全体を取り替える必要があるため時間がかかる、という問題があった。
【０００７】
そこで、本発明は、容易にカスタマイズすることのできるベアリングを提供することを目的としている。
【課題を解決するための手段】
【０００８】
前記目的を達成するために、本発明のベアリングは、内面が凹曲面状に形成された内ケース部材と、前記内ケース部材の内面に沿って配置された複数の受けボールと、複数の前記受けボールに支持されるメインボールと、前記メインボールの一部を露出させた状態で前記メインボールを収容し、前記内ケース部材に取り付けられる蓋部材と、前記内ケース部材又は前記蓋部材の外面に形成される突起部と、を有するボール収容部と；内面に前記ボール収容部の前記突起部に嵌合する蟻溝が形成されて、前記ボール収容部を取り替え可能に収容する外ケース部材と；を備えている。
【発明の効果】
【０００９】
このように、本発明のベアリングは、内面が凹曲面状に形成された内ケース部材と、前記内ケース部材の内面に沿って配置された複数の受けボールと、複数の受けボールに支持されるメインボールと、メインボールの一部を露出させた状態でメインボールを収容し、内ケース部材に取り付けられる蓋部材と、内ケース部材又は蓋部材の外面に形成される突起部と、を有するボール収容部と；内面にボール収容部の突起部に嵌合する蟻溝が形成されて、ボール収容部を取り替え可能に収容する外ケース部材と；を備えている。このような構成であるため、容易にカスタマイズすることのできるボールスケート用のベアリングとなる。
【図面の簡単な説明】
【００１０】
【図１】実施例のスケート靴の下面から見た斜視図である。
【図２】実施例のスケート靴の底面図である。
【図３】実施例のスケート靴の断面図である。
【図４】ベアリングの斜視図である。（ａ）は大きいサイズのもの、（ｂ）は中くらいのサイズのもの、（ｃ）は小さいサイズのものである。
【図５】ブレーキ部材の斜視図である。（ａ）は大きいサイズのもの、（ｂ）は中くらいのサイズのもの、（ｃ）は小さいサイズのものである。
【図６】ベアリングの断面図である。
【図７】外ケース部材の内面を展開した状態で説明する展開図である。
【図８】ベアリングの作用を説明した作用図である。
【図９】弾性部材の組み合わせについて説明した断面図である。
【発明を実施するための形態】
【００１１】
以下、本発明の実施の形態について図面を参照して説明する。
【実施例】
【００１２】
（スケート靴の全体構成）
まず、図１〜図３を用いて、スケート靴１の構成を説明する。スケート靴１は、図１に示すように、ボールスケートの底構造４と、足を収容するアッパー部１０と、を全体として備えている。
【００１３】
アッパー部１０は、外部の気象の変化（暑さ、寒さ、雨など）や衝撃から足を保護し、歩行の際に足が踊らないよう絶えず足を密着させる役割がある。アッパー部１０は、吸湿性、伸縮性のある素材で形成される。
【００１４】
ボールスケートの底構造４は、複数の第１の孔５１、・・・と複数の第２の孔５２、・・・とを有するベースプレート５と、１つ又は複数のベアリング（又は「ボールローラ部材」）６１〜６３であって、複数の第１の孔５１、・・・から選択された第１の孔５１に設置される、１つ又は複数のベアリング６１〜６３と、１つ又は複数のブレーキ部材７１〜７３であって、複数の第２の孔５２、・・・から選択された第２の孔５２に設置される、１つ又は複数のブレーキ部材７１〜７３と、を備えている。
【００１５】
ベースプレート５は、合成樹脂などによって板状に形成されるものであり、図２に示すように、ベースプレート５の外縁近傍を除く中央寄りの位置に略等間隔に複数行かつ複数列に整列配置される第１の孔５１、・・・と、ベースプレート５の外縁近傍に外周線に沿って略等間隔に配置される第２の孔５２、・・・と、を有している。
【００１６】
これらの第１の孔５１及び第２の孔５２は、雌ネジが螺刻された金属部品をベースプレート５の本体に埋め込むことで形成されている。第１の孔５１には、ベアリング６１〜６３が螺合され、第２の孔５２には、ブレーキ部材７１〜７３が螺合される。なお、図示しないが、第１の孔５１及び第２の孔５２の大きさは、大・中・小など、複数の孔径を有するように構成することもできる。
【００１７】
（ベアリング）
ベアリング（ボールローラ部材）６１〜６３は、図１〜図３に示すように、複数の第１の孔５１、・・・の中から、使用者の好みに応じて、又は、競技の用途に応じて、選択された第１の孔５１に設置される。例えば、図１では、足の前部（前踏み）においてひし形の頂点に４つのベアリング６１、６１、６１、６１が設置され、足の後部（後踏み）においてひし形の頂点に４つのベアリング６１、６１、６２、６２が設置され、さらに土踏まずの左右には２つのベアリング６３、６３が設置される。
【００１８】
そして、本実施例のベアリング６１（６２、６３）は、図４（ａ）〜（ｃ）に示すように、複数の外径を有するベアリング６１〜６３の中から選択可能となっている。例えば、外径の異なる３種類のベアリング６１、６２、６３を準備しておくことができる。この場合、大サイズのベアリング６１の外径を１とすると、中サイズのベアリング６２の外径を０．８とし、小サイズのベアリング６３の外径を０．６とすることができる。
【００１９】
さらに、図示しないが、本実施例のベアリング６１（６２、６３）は、複数種類の摩擦係数を有するベアリング６１（６２、６３）の中から選択可能となっている。これにより、例えば、外径（３種類）と摩擦係数（３種類）を組み合わすことで、９通りのベアリング６１（６２、６３）の中から適切なベアリング６１（６２、６３）を選択できるようになる。もちろん、９通り以外の組み合わせとすることもできる。
【００２０】
ここにおいて各ベアリング６（６１、６２、６３）の構成について詳細に説明する。ベアリング６は、メインボール２３を有するボール収容部２０と、ボール収容部２０を取り替え可能に収容する外ケース部材３０と、を備えている。
【００２１】
ボール収容部２０は、内面が凹曲面状に形成された内ケース部材２１と、内ケース部材２１の内面に沿って配置された複数の受けボール２２、・・・と、複数の受けボール２２、・・・に支持されるメインボール２３と、メインボール２３の一部を露出させた状態でメインボール２３を収容し、内ケース部材２１に取り付けられる蓋部材２４と、内ケース部材２１又は蓋部材２４の外面に形成される突起部２５と、を有する。
【００２２】
内ケース部材２１は、下向きの凹曲面状（半球形状）に窪んだ凹部を有するとともに、全体として短い円柱状の外形を有している。さらに、内ケース部材２１の凹曲面状に形成された凹部の底（半球の最上部）には、内ケース部材２１の凹局面状に形成された内面から内ケース部材２１の上向きの頂面まで貫通する複数の貫通孔２６、・・・が設けられている。さらに、蓋部材２４の下部には、側面及び／又は底面に、ゴミ等を排出するための排出口２４ｂが形成されている。排出口２４ｂは、周方向に沿って延びる長孔であってもよいし、所定間隔で点在する複数の円形孔であってもよい。なお、排出口２４ｂは、内ケース部材２１に配置することもできる。加えて、蓋部材２４の下部には、蓋部材２４及び内ケース部材２１を指で摘まんで回転させることができるように、円周方向に沿って複数の凹部２４ａが形成されている。
【００２３】
受けボール２２は、凹曲面状（半球形状）に窪んだ凹部とメーンボール２３の間に挟まれるようにして、メインボール２３を支持している。メインボール２３は、複数の受けボール２２、・・・によって支持され、蓋部材２４に設けた円形の開口部からその下部のみを露出させている。
【００２４】
突起部２５は、内ケース部材２１又は蓋部材２４の外面から、外向きに突出するように形成されている。突起部２５は、円柱状の内ケース部材２１又は蓋部材２４の外面の最上部に円周方向に１８０度離れて（すなわち、直径をなす位置に）２つ配置されている。そして、突起部２５は、後述する外ケース部材３０の円柱曲面状の内面に形成された蟻溝３１に勘合するようになっている。この他にも、突起部２５は、例えばボールプランジャのように、内ケース部材２１又は蓋部材２４から進退自在に構成されることも好ましい。
【００２５】
外ケース部材３０には、図７（ａ）、（ｂ）に示すように、内面にボール収容部２０の突起部２５に嵌合する蟻溝３１が形成されて、ボール収容部２０を取り替え可能に収容するようになっている。蟻溝３１は、同一形状のものが、円周方向に例えば１８０度離れた位置に（すなわち、直径をなす位置に）、２つ形成されている。蟻溝３１は、外ケース部材３０の下端部まで貫通する導入溝部３１ａと、外ケース部材３０内で上下方向に沿って、すなわち弾性部材（後述）に付勢されてボール収容部２０が摺動する方向に沿って形成された摺動溝部３１ｃと、導入溝部３１ａと摺動溝部３１ｃを接続する遷移溝部３１ｂと、から構成されている。
【００２６】
遷移溝部３１ｂの形状は、図７（ａ）に示すように突起部２５の蟻溝３１を通じた離脱を妨げることができるように波状に形成してもよいし、図７（ｂ）に示すように直線状に形成してもよい。さらに、摺動溝部３１ｃは、摺動させる距離、すなわち弾性部材の弾性力（反力）に応じて複数（図では２つ）備えることもできる。例えば、図７（ｂ）の左側の第一摺動溝部３１ｃは、短く（浅く）されることで、弾性力を大きくすることができるし、右側の第二摺動溝部３１ｃは、長く（深く）されることで、弾性力を小さくすることができる。加えて、摺動溝部３１ｃの最高部付近及び／又は最低部付近には、図７（ｂ）に示すように、合成ゴムなどから構成される緩衝部材３１ｄを配置することも好ましい。
【００２７】
さらに、外ケース部材３０の頂面には、取付軸３２が取り付けられている。取付軸３２は、マグネット式にされてベースプレート５の第１の孔５１に嵌合して磁力で保持されるようになっている。なお、取付軸３２は、外面に雄ネジ溝が螺刻されて第１の孔５１の螺合するように構成することもできる。すなわち、取付軸３２は、内ケース部材２１の上下動やベアリングの回転への影響に配慮して、磁力を有しないものを採用することもできる。
【００２８】
そして、ボール収容部２０の頂面又は外ケース部材３０の内面には、さらに圧電素子８１を配置することができる。この場合、ベアリング６の外部から見える位置には、圧電素子８１と接続されて発光するＬＥＤなどの光源８２をさらに配置することができる。光源８２は、例えば、外ケース部材３０の下部に配置することが好ましい。この他、光源８２は、外ケース部材３０の上部に配置することもできるし、ベースプレート５に配置することもできる（図６の点線参照）。
【００２９】
そして、本実施例では、ボール収容部２０の内ケース部材２１の頂面と外ケース部材３０の内面との間に配置される弾性部材９０をさらに備えている。弾性部材９０は、例えば弦巻バネであり、ボール収容部２０を下向きに押圧することで、クッション性を付加するように構成されている。加えて、このように弾性部材９０によってボール収容部２０が下向きに押圧されることで、ボール収容部２０の突起部２５が摺動溝部３１ｃから離脱しにくくなっている。なお、弾性部材９０は、ここで説明した弦巻バネに限定されるものではなく、板バネやシリコンゴムやオイルダンパーやエアダンパーなどを使用することもできる。
【００３０】
（ブレーキ部材）
ブレーキ部材７１〜７３は、図１〜図３に示すように、複数の第２の孔５２、・・・の中から、使用者の好みに応じて、又は、競技の用途に応じて、選択された第２の孔５２に設置される。例えば、図１では、足の前部（前踏み）において五角形の頂点に５つのブレーキ部材７１、７２、７２、７１、７１が設置され、足の後部（後踏み）において三角形の頂点に３つのブレーキ部材７１、７３、７３が設置される。
【００３１】
そして、本実施例のブレーキ部材７１（７２、７３）は、図５（ａ）〜（ｃ）に示すように、複数の大きさを有するブレーキ部材７１〜７３の中から選択可能となっている。例えば、大きさの異なる３種類のブレーキ部材７１、７２、７３を準備しておくことができる。この場合、大サイズのブレーキ部材７１の高さを１とすると、中サイズのブレーキ部材７２の高さを０．８とし、小サイズのブレーキ部材７３の高さを０．６とすることができる。なお、ブレーキ部材７１（７２、７３）の高さについては任意に選択することができる。
【００３２】
各ブレーキ部材７（７１、７２、７３）は、合成樹脂や合成ゴムなどの素材によって形成される六角形柱状の本体部ｂが接地されて摩擦を生じるようになっている。すなわち、使用する最大のベアリング６１と比べて高さが同等か低くされ、スケート靴１を左右あるいは前後に傾斜させることによって接地するようになっている。具体的には、ブレーキ部材７１（７２、７３）は、図５（ａ）に示すように、取付部ａと、本体部ｂと、取付部ａの外周に螺刻される雄ネジｃと、から構成される。したがって、取付部ａの雄ネジｃを第２の孔５２の雌ネジに螺合させることによって、ブレーキ部材７１をベースプレート５に固定することができる。なお、ブレーキ部材７１（７２、７３）の形状は、用途に応じて設計することができるものであり、例えば、三角柱、四角柱などの多角柱や円柱などであってもよい。さらに、ブレーキ部材７１についても、ベアリング６と同様に、外ケース部材と内ケース部材等によって入れ子状に摺動自在に構成して、クッション性を持たせることもできる。
【００３３】
（作用・効果）
次に、本実施例のベアリング６の奏する作用・効果を列挙して説明する。
【００３４】
（１）上述してきたように、本実施例のベアリング６は、内面が凹曲面状に形成された内ケース部材２１と、内ケース部材２１の内面に沿って配置された複数の受けボール２２、・・・と、複数の受けボール２２、・・・に支持されるメインボール２３と、メインボール２３の一部を露出させた状態でメインボール２３を収容し、内ケース部材２１に取り付けられる蓋部材２４と、内ケース部材２１又は蓋部材２４の外面に形成される突起部２５と、を有するボール収容部２０と；内面にボール収容部２０の突起部２５に嵌合する蟻溝３１が形成されて、ボール収容部２０を取り替え可能に収容する外ケース部材３０と；を備えている。このような構成であるため、容易にカスタマイズすることのできるボールスケート用のベアリング６となる。
【００３５】
つまり、ボール収容部２０の突起部２５を、外ケース部材３０の蟻溝３１に嵌合させ、さらに回転させることで、ボール収容部２０が外ケース部材３０から外れてしまうことを防止しつつも、手で容易に取り替え可能となる。そして、このように容易にボール収容部２０を取り替えることができれば、個人ごと（体型別、好みに応じて）又は競技ごとに、ボールスケート（スケート靴１）を容易にカスタマイズすることができる。さらに、故障や摩耗などによって交換が必要となったときでも、ベアリング６１（６２、６３）を容易に交換することができる。
【００３６】
（２）また、ボール収容部２０の内ケース部材２１の頂面と外ケース部材３０の内面との間に配置される弾性部材９０をさらに備えることで、弾性部材９０によって適度なクッション性を付与するとともに、ボール収容部２０を下向きに押圧することでボール収容部２０が外れにくくなる。
【００３７】
（３）さらに、蟻溝３１は、外ケース部材３０内で弾性部材９０に付勢されてボール収容部２０が摺動する方向に沿って形成された摺動溝部３１ｃを備えることで、ボール収容部２０の突起部２５が摺動溝部３１ｃに嵌合した状態で、上下に摺動するようになるため、スムーズに摺動するようになる。
【００３８】
（４）また、ベアリング６は、外ケース部材３０の頂面に配置される取付軸３２であって、マグネット式にされてベースプレート５の第１の孔５１に嵌合して磁力で保持されるようになっている、取付軸３２をさらに備えることができる。このように、取付軸３２がマグネット式になっていれば、ワンタッチでベアリング６全体を取り替えることができるようになる。
【００３９】
（５）さらに、ボール収容部２０の内ケース部材２１の頂面から内面まで貫通する複数の貫通孔２６、・・・が形成されていることで、図８（ａ）、（ｂ）に示すように、弾性部材９０が縮小すると弾性部材９０が収容された空間の体積が小さくなり、貫通孔２６、・・・から下向きに空気が吹き出すようになるため、受けボール２２やメインボール２３に付着した埃や塵などを吹き飛ばすことができる（「エアブラシ機能」）。さらに、蓋部材２４の下部の底面や側面に排出口２４ｂを形成することで、排出口２４ｂを通じて埃や塵を排出することができる。ここにおいて、蓋部材２４の下部の底面だけでなく側面に排出口２４ｂが形成されることで、底面の排出口２４ｂが雨（水）やゴミなどで塞がっても、側面の排出口２４ｂを通じて埃や塵などを吹き飛ばすことができる。
【００４０】
（６）また、ベアリング６は、ボール収容部２０の頂面又は外ケース部材３０の内面に配置される圧電素子８１と、圧電素子８１と接続されて発光する光源８２と、をさらに備えることができる。このような構成によって、図８（ａ）、（ｂ）に示すように、踏み込んだりして弾性部材９０に力が作用すると、圧電措置８１が力を受けて発電し、ＬＥＤなどの光源８２が光るため、暗い中で足元を明るく照らすことや見た目を華やかにすることができる。
【００４１】
（７）そして、本実施例のボールスケートとしてのスケート靴１は、複数の第１の孔５１と複数の第２の孔５２とを有するベースプレート５と、上述したいずれかの、１つ又は複数のベアリング６であって、複数の第１の孔５１、・・・から選択された第１の孔５１に設置される、１つ又は複数のベアリング部材６と、１つ又は複数のブレーキ部材７１（７２、７３）であって、複数の第２の孔５２、・・・から選択された第２の孔５２に設置される、１つ又は複数のブレーキ部材７１（７２、７３）と、足を収容するアッパー部１０又は靴を係合する係合手段（不図示）と、を備えている。
【００４２】
このような構成であるため、ベアリング６１（６２、６３）とブレーキ部材７１（７２、７３）の配置を適宜に選択することによって、個人ごと（体型別、好みに応じて）又は競技ごとにカスタマイズすることができる。さらに、故障や摩耗などによって交換が必要となったときでも、ベアリング６１（６２、６３）やブレーキ部材７１（７２、７３）を容易に交換することができる。
【００４３】
そして、一方向ではなく多方向に滑ることができるベアリング６１（６２、６３）とブレーキ部材７１（７２、７３）の配置の組合せを変えることによって、大多数の動きや好みに対応することが可能となる。例えば、左右方向に移動しやすい構成としたり、前後方向に移動しやすい構成としたりすることができる。さらに、ホッケーなどのスポーツ競技では、図６（ａ）に示すように、攻撃の選手用にベアリング６１（６２、６３）を多く配置したり、図６（ｂ）に示すように、守備の選手用にブレーキ部材７１（７２、７３）を多く配置したりすることなども可能である。
【００４４】
また、ベアリング６１（６２、６３）は、複数の外径を有するベアリング６１〜６３の中から選択可能となっているため、個人別（体型別）に乗り心地に応じて、又は競技別に用途に応じてカスタマイズすることができる。例えば、土踏まず近傍にベアリング６３を配置すれば、手摺様のパイプに引っ掛けて滑走させることが可能である。さらに、ブレーキ部材７１（７２、７３）と組み合わせることで、左右方向に移動しやすい配置や、前後方向に移動しやすい配置なども可能となる。
【００４５】
同様に、ブレーキ部材７１（７２、７３）は、複数の大きさ及び／又は形状を有するブレーキ部材７１〜７３の中から選択可能となっているため、個人別（体型別）に乗り心地に応じて、又は競技別に用途に応じてカスタマイズすることができる。例えば、ホッケーなどの競技の場合には、守備の選手用に大きいブレーキ部材７１（７２、７３）を多く設置し、攻撃の選手用にブレーキ部材７３（７１、７２）を少なく設置することが可能である。さらに、ベアリング６１（６２、６３）と組み合わせることで、左右方向に移動しやすい配置や、前後方向に移動しやすい配置なども可能となる。
【００４６】
さらに、ベアリング６１（６２、６３）は、複数の種類の摩擦係数を有するベアリング６１〜６３の中から選択可能となっているため、個人別（体型別）に乗り心地に応じて、又は競技別に用途に応じてカスタマイズすることができる。例えば、ホッケーなどの競技の場合には、守備の選手用に摩擦係数の大きいベアリング６１（６２、６３）を設置し、攻撃の選手用に摩擦係数の小さいベアリング７１（７２、７３）を設置することが可能である。
【００４７】
以上、図面を参照して、本発明の実施例を詳述してきたが、具体的な構成は、この実施例に限らず、本発明の要旨を逸脱しない程度の設計的変更は、本発明に含まれる。
【００４８】
例えば、実施例では、第１の孔と第２の孔とは別系統であるとして説明したが、これに限定されるものではなく、第１の孔と第２の孔とはまったく等しい同一系統であってもよい。このように構成することによって、ベアリングとブレーキ部材の配置の自由度をいっそう高めることができる。
【００４９】
また、実施例では、弾性部材として弦巻バネについて説明したが、これに限定されるものではなく、弾性部材は空気圧や油圧を用いたダンパ部材であってもよい。さらに、弾性部材として合成ゴムや天然ゴムから構成された柱状部材を配置することも可能である。
【００５０】
さらに、実施例では特に説明しなかったが、左のスケート靴１と右のスケート靴１は左右対称でなくてもよく、左右でベアリングやブレーキ部材の配置を変えることもできる。このように構成すれば、例えばカーリングの練習などにも使用することができる。
【００５１】
さらに、実施例では特に説明しなかったが、弾性部材９０は、少なくとも２つの異なる弾性部材の組み合わせによって構成されることが好ましい。例えば、弾性部材９０は、図９に示すように、弦巻バネである第１の弾性部材９１と、円筒形状の合成ゴムからなる第２の弾性部材９２と、によって構成することができる。このように構成すれば、反発力（弾性力）を複数段階に構成できる。さらに、一方の弾性部材９１が壊れたときにも、他方の弾性部材９２によってクッション性を維持することができる（フェールセーフ機能）。
【符号の説明】
【００５２】
１          スケート靴
１０        アッパー部
４          ボールスケートの底構造
５          ベースプレート
５１        第１の孔
５２        第２の孔
６、６１、６２、６３  ベアリング（ボールローラ部材）
７１、７２、７３  ブレーキ部材
２０        ボール収容部
２１        内ケース部材
２２        受けボール
２３        メインボール
２４        蓋部材
２５        突起部
２６        貫通孔
３０        外ケース部材
３１        蟻溝
３１ａ      導入溝部
３１ｂ      遷移溝部
３１ｃ      摺動溝部
３２        取付軸
８１        圧電素子
８２        光源
９０        弾性部材
【図１】
2020150962.tif 000003
【図２】
2020150962.tif 000004
【図３】
2020150962.tif 000005
【図４】
2020150962.tif 000006
【図５】
2020150962.tif 000007
【図６】
2020150962.tif 000008
【図７】
2020150962.tif 000009
【図８】
2020150962.tif 000010
【図９】
2020150962.tif 000011